(57)【要約】【課題】調整範囲が大きく、ユーザーによって滑らせて取り付けたり取り外したりすることが容易であるようなストラップを装備した腕時計を提供する。【解決手段】少なくとも１つのケース（１００）と、及び可撓性ブレード（２）によって形成されるストラップを有する腕時計（１）であって、可撓性ブレードの第１の端（２０）は、ケースに固定され、第２の端（２１）は、ストラップを取り付け長さを調整する調整デバイスと連係する。本発明によると、調整デバイスは、キャップ（１３）とレバー（１１）によって形成されるクラスプ（１０）を有し、キャップとレバーの間で可撓性ブレードが滑り、クラスプは、レバーが回転することができる回転軸を定めるリンク手段によってケースにヒンジ付けされ、これによって、開位置と閉位置に動くことができ、レバーは、回転軸の周辺にて、レバーと一体化されている偏心機構（１４）を有し、偏心機構は、レバーが閉位置にあるときに、キャップに対して可撓性ブレードの自由端をクランプしストラップを保持する。【選択図】  図１
2018000947.tif 000002
【特許請求の範囲】
【請求項１】
少なくとも１つのケース（１００）と、及び可撓性ブレード（２）によって形成されるストラップを有する腕時計（１）であって、
前記ケース（１００）は、第１の側面及びこの第１の側面の反対側の第２の側面にその高さレベルにてホーン（１０１、１０２）を有し、
前記可撓性ブレード（２）の第１の端（２０）は、前記ケース（１００）に固定され、前記第１の端（２０）の反対側の第２の端（２１）は、前記ストラップを取り付け長さを調整する調整デバイスと連係するようにされ、
前記調整デバイスは、キャップ（１３）とレバー（１１）によって形成されるクラスプ（１０）を有し、
前記キャップ（１３）と前記レバー（１１）の間で前記可撓性ブレード（２）が滑り、
前記クラスプ（１０）は、レバー（１１）が回転することができる回転軸を定めるリンク手段によってケース（１００）にヒンジ付けされ、これによって、開位置と閉位置に動くことができ、
前記レバー（１１）は、前記回転軸の周辺にて、前記レバー（１１）と一体化されている偏心機構（１４）を有し、
前記偏心機構（１４）は、前記レバー（１１）が閉位置にあるときに、前記キャップ（１３）に対して前記可撓性ブレード（２）をクランプし前記ストラップを保持する
ことを特徴とする腕時計（１）。
【請求項２】
前記偏心機構（１４）には、その表面のすべて又は一部にわたって刻み付けが形成されている
ことを特徴とする請求項１に記載の腕時計（１）。
【請求項３】
前記偏心機構（１４）には、歯列が形成されている
ことを特徴とする請求項１に記載の腕時計（１）。
【請求項４】
前記キャップ（１３）には、前記可撓性ブレード（２）をガイドする端側縁（１３０、１３１）がある
ことを特徴とする請求項１〜３のいずれかに記載の腕時計（１）。
【請求項５】
前記リンク手段は、突起又はスライド機構を有する
ことを特徴とする請求項１〜４のいずれかに記載の腕時計（１）。
【請求項６】
前記クラスプ（１０）は、金属性材料、プラスチック材料、セラミックス材料又は複合材料で作られている
ことを特徴とする請求項１〜５のいずれかに記載の腕時計（１）。
【請求項７】
前記ストラップの前記可撓性ブレード（２）は、皮革、ゴム、織物又は合成材で作られている
ことを特徴とする請求項１〜６のいずれかに記載の腕時計（１）。
【発明の詳細な説明】
【技術分野】
【０００１】
本発明は、ストラップを備える腕時計であって、ストラップの第１の端と、これと反対側の第２の端との間に、ストラップを取り付け調整するデバイスを有するものに関する。
【０００２】
本発明は、人体に固定される装置の分野に関し、特に、腕時計のような測時装置の分野に関する。
【背景技術】
【０００３】
ストラップ、特に、腕時計ストラップは、一般的には、ユーザーの形態に調整された寸法構成を有する。その調整範囲は限られている。着用されて利用されるときに調整や保持が良好であることが確実でありつつ、迅速に取り付けたり取り外したりする可能性を与えるようなストラップはほとんどない。
【０００４】
ピンバックルであってもデプロイヤントバックル機構であっても、伝統的なクラスプには慎重な取り扱いを必要とする。特に、手袋を介しての取り扱いは不可能である。これらのクラスプは、さらに、高価であり、一般的には、鋭くない突出部分がある。
【０００５】
特に、スポーツマンのようなユーザーが自身の腕時計又はストラップを大きな加速度がかかる状況下に置いたときに、全体が弾性材料で作られたストラップでは、必ずしも保持が良好であることが確実であるとは限らない。
【発明の概要】
【発明が解決しようとする課題】
【０００６】
本発明の目的は、ストラップを装備した腕時計の完成度を上げることである。これは、クラスプを有さず（通常の用語の意味で）、調整範囲が大きく、ユーザーによって滑らせて取り付けたり取り外したりすることが容易であり、職業的な使用やスポーツ用途に適している。
【課題を解決するための手段】
【０００７】
これらの目的は、他の目的とともに、少なくとも１つのケースと、及び可撓性ブレードによって形成されるストラップを有する腕時計のおかげで本発明によって達成される。前記ケースは、第１の側面及びこの第１の側面の反対側の第２の側面にその高さレベルにてホーンを有し、前記可撓性ブレードの第１の端は、前記ケースに固定され、前記第１の端の反対側の第２の端は、前記ストラップを取り付け長さを調整する調整デバイスと連係するようにされる。
【０００８】
本発明によると、前記調整デバイスは、キャップとレバーによって形成されるクラスプを有する。このキャップとレバーの間にて、可撓性ブレードが滑り、クラスプは、回転軸を定めるリンク手段によってケースにヒンジ付けされる。この回転軸のまわりにレバーが回転して、開位置と閉位置に動くことができる。レバーは、偏心機構を有し、この偏心機構は、回転軸の周辺にてレバーと一体化されており、レバーが閉位置にあるときに、キャップに対してブレードの自由端をクランプし、ストラップを保持する。
【０００９】
したがって、上記の様々な機能的及び構造的な態様のおかげで、本発明の主題によって、取り付けが容易であり、着用者の形態に対して調整することが容易であるような腕時計を得ることができる。
【００１０】
本発明の他の好ましい変種によると、
−  偏心機構には、その表面のすべて又は一部にわたって刻み付け（knurling）が形成されている。
−  偏心機構には、歯列が形成されている。
−  キャップには、可撓性ブレードをガイドする端側縁がある。
−  リンク手段は、突起又はスライド機構を有する。
−  クラスプは、金属性材料、プラスチック材料、セラミックス材料、あるいは複合材料で作られる。
−  ストラップブレードは、皮革、ゴム、織物、あるいは合成材で作られる。
【００１１】
添付図面を参照しながら以下の説明を読むことによって、他の特別な特徴や利点が明白になるであろう。なお、これに限定されない。
【図面の簡単な説明】
【００１２】
【図１】第１の実施形態による本発明に係る腕時計の斜視図を示している。
【図２】図１の本発明に係る腕時計の分解斜視図を示している。
【図３】図１の本発明に係る腕時計の断面図を示している。
【発明を実施するための形態】
【００１３】
本発明に係る腕時計は、少なくとも１つのケース１を有する。これは、第１の側面とこの第１の側面の反対側の第２の側面にその高さレベルにて、ホーンと、及び可撓性ブレード２によって形成されるストラップとを有する。この可撓性ブレード２の第１の端２０は、ケース１に固定され、反対側の第２の端２１は、ストラップを取り付けストラップの長さを調整するデバイスと連係するようにされている。
【００１４】
図１に示すように、本発明に係る取り付け調整デバイスは、２つの要素、すなわち、レバー１１とキャップ１３、によって形成されるクラスプを有し、このレバー１１とキャップ１３の間で、可撓性ブレード２が滑る。
【００１５】
クラスプ１０は、ケース１にヒンジ付けされており、レバー１１を回転させて、可撓性ブレード２が自由に滑ることができる開位置から可撓性ブレードが不動である閉位置の方へと動くことができる。
【００１６】
図面に示すように、キャップ１３は、実質的に長方形であり、キャップ１３には、可撓性ブレード２の長手方向に配置された２つの端側縁１３０及び１３１がある。これによって、可撓性ブレード２用の通路を形成する。
【００１７】
好ましいことに、ブレード２の幅は、キャップ１３の幅よりもわずかに小さい。これによって、端側縁１３０及び１３１に対するブレード２の摩擦を制限することができる。
【００１８】
レバー１１は、その一端によってキャップ１３にヒンジ付けされており、横断方向の回転軸を有する。好ましいことに、この横断方向の回転軸は、ケース１に対するクラスプ１０のヒンジ機能と一致している。
【００１９】
クラスプ１０は、突起１４、スライド機構又は他の要素のようなリンク手段によって、ケース１にヒンジ付けすることができる。リンク手段は、レバー１１が回転することを可能にするヒンジ機能を与えつつ、ホーン１０１及び１０２の間で、ケース１に対してクラスプ１０を保持することができる。
【００２０】
本発明によると、レバー１１は、レバー１１と一体化されている偏心機構１４を有する。偏心機構１４は、回転軸の周辺にてレバーの裏に配置される。このような偏心機構１４によって、レバー１１が閉位置にあるときに、キャップ１３に対して可撓性ブレード２をクランプし、したがって、ストラップを動けなくすることが可能になる。
【００２１】
本発明の第１の実施形態によると、偏心機構１４には、その表面のすべて又は一部にわたって、刻み付けが形成されている。これによって、ストラップの固定の信頼性を高くし、かつ、ストラップが滑るようにする。
【００２２】
本発明の別の実施形態によると、偏心機構１４には、ストラップを動けなくするために、その表面のすべて又は一部にわたって、歯列が形成されている。
【００２３】
図１において観察することができるように、ブレード２の第１の端２０は、突起などによって、ホーン間で、第１の側面にその高さレベルにてケース１と一体化されている。
【００２４】
ブレード２の第２の端２１は、開位置において、キャップ１３とレバー１１の間で動く。
【００２５】
着用者が自身の手首上にてストラップを調整するときに、その着用者がキャップ２の方にレバー１１を下ろすことで十分である。この回転によって、偏心機構１４は、ストラップをクランプし、キャップ１３におけるストラップの保持を確実にする。
【００２６】
ブレード２を緩めるためには、レバー１１を上げることによってクラスプを開くことで十分である。
【００２７】
ストラップを形成するブレード２は、皮革、ゴム、織物、あるいは合成材で作ることができる。また、ブレード２が不注意にループから抜けることがないように、ブレード２の第２の端２１が余剰な厚みを有するようにすることを想到することができる。
【００２８】
したがって、本発明においては、手袋をしていても扱うのが容易である。このことは、スキューバダイビングなどにおいて使用する場合には必要である。
【００２９】
本発明における製造コストは非常に廉価である。本発明は、使用形態や審美的な考察に応じて、ストラップの交換に良好に適合する。
【００３０】
これらの本発明の種々の態様のおかげで、単純な設計の腕時計を利用することができる。このことによって、ストラップを迅速に調整しロックすることが可能になる。
【００３１】
もちろん、本発明は、図示した例に制限されず、当業者に明白な様々な変種や改変形態がある。
【符号の説明】
【００３２】
１  腕時計
２  可撓性ブレード
１０  クラスプ
１１  レバー
１２  偏心機構
１３  キャップ
１４  突起
２０  可撓性ブレードの第１の端
２１  可撓性ブレードの第２の端
１００  ケース
１０１、１０２  ホーン
１３０、１３１  キャップの端側縁
【図１】
2018000947.tif 000003
【図２】
2018000947.tif 000004
【図３】
2018000947.tif 000005